【事件の表示】
　特願２００６−　２５１７６「飲食品素材」拒絶査定不服審判事件〔平成１９年　８月１６日出願公開、特開２００７−２０２４６９〕について、次のとおり審決する。
【結　論】
　本件審判の請求は、成り立たない。
【理　由】
第１　手続の経緯
　本願は，平成１８年２月２日の出願であって，平成２１年９月２４日付けの第１回目の拒絶理由通知に対して，同年１２月３日に意見書及び手続補正書が提出され，平成２２年３月３１日付けの第２回目の拒絶理由通知に対して，同年６月７日に意見書及び手続補正書が提出されたが，同年９月３０日付けで拒絶査定がなされ，これに対し，平成２３年１月７日に拒絶査定不服審判が請求されたものである。
　
第２　本願発明
　本願請求項１〜３に係る発明は，平成２２年６月７日付け手続補正により補正された特許請求の範囲の請求項１〜３に記載されるとおりのものと認められ，そのうち，請求項１に係る発明（以下，「本願発明１」という。）は，次のとおりの事項により特定される発明である。
「凍結後に水性媒体と混ぜて崩し，シェイク状の飲食品を提供するための飲食品素材であって，
　少なくとも，糖類と，水分と，コンニャク芋から常法にてグルコマンナンを抽出して乾燥し，澱粉と混合し，水を添加して膨潤し，少量のアルカリを添加することによる脱アセチル化処理を行った後，成型，加熱ゲル化，中和，糖質溶液浸漬，乾燥することで製造したコンニャク粉と，ＨＭペクチンとを含むことを特徴とする飲食品素材。」
　
第３　原査定の理由
　拒絶査定における拒絶理由（平成２２年３月３１日付けの「理由１」）の概要は，本願発明１は，その出願前に頒布された下記引用文献１〜６に記載された発明に基づいて当業者が容易に発明をすることができるものであるから，特許法第２９条第２項の規定により特許を受けることができない，という理由を含むものである。
　　　　　　　　　　　　　　　　　　記
１：特開昭５９−１９８９４３号公報
２.特表２００２−５０１７３１号公報
３.特表２００２−５４３８０８号公報
４.特開２００２−３３５８８０号公報
５.特開２００４−１８０６３１号公報
６.特開２００５−２７００２９号公報
　
第４　刊行物の記載事項
１　刊行物１に記載された事項
　上記拒絶理由で引用された引用文献１である「特開昭５９−１９８９４３号公報」（以下，「刊行物１）」という。）には，以下の事項が記載されている。
（なお，下線は当審にて付与したものである。以下，同様である。）
（刊１−１）「特許請求の範囲
１　
高メトキシルペクチンが０．１〜２重量％の割合になるように添加配合された酸性シロツプの凍結物に蛋白性物質を加えてなる半凍結飲料
２　
酸性シロツプの高メトキシルペクチン以外の成分がブドウ糖またはブドウ糖およびその他の糖類または糖アルコールの一種以上と果汁，酸味料，香料よりなる組成物である特許請求の範囲第１項記載の半凍結飲料
３　
蛋白性物質が牛乳または豆乳である
　
（刊１−２）「
半凍結飲料は
シエイク
　
（刊１−３）「そのほかに，シロツプ凍結物に水，牛乳，炭酸水などの水性液体を混合しても半凍結飲料を作ることができる。とくに牛乳を加えたものはアイスクリーム様のまろやかな風味となり，広く好まれるものである。
　しかしながら，果汁および（または）酸を添加した酸性シロツプの凍結物に牛乳を加えると，牛乳の蛋白質が凝集してコツプの壁に付着するため見ばえが悪く，さらに下層が透明なシロツプとなり上層に凝集物がスラリー状に集まるため，短時間（１０分以内）のうちに分離してしまう欠点があった。
　本発明者らは家庭で手軽に半凍結飲料を作るに際し，
凍結物に牛乳または豆乳などの蛋白性物質（以下，「牛乳など」という）を加えても凝集物
　すなわち，本発明は高メトキシルペクチンが０．１〜２％，好ましくは０．４〜１％の割合になるように添加配合された酸性シロツプの凍結物に蛋白性物質を加えてなる半凍結飲料に関する。
　本発明でいう酸性シロツプ組成物は，ブドウ糖またはブドウ糖およびその他の糖類または糖アルコールの合計量を水分量に対して１３〜６５％としたものに，果汁，酸味料，香料などを加えた酸性シロツプに対し高メトキシルペクチンを０．１〜２％の割合になるように添加配合して作られる。該組成物は容器に入れてそのまま冷凍してもよいし，加熱殺菌して常温保存したのち冷凍してもよい。」（２頁左上欄２行〜同頁右上欄１８行）
　
（刊１−４）「
酸性シロツプの凍結物に牛乳などを加えて半凍結飲料を作るための安定剤
(a)
酸性シロツプ凍結物の氷のシヤリシヤリした感触を保つ
(b)粘度が余り高くない。
(c)酸性シロツプ凍結物に牛乳などを加える際の蛋白質の凝集を防止または軽度にする。
(d)牛乳などに含まれるカルシウムイオンと反応しない。
(e)風味に悪影響を及ぼさない。
　
そこで半凍結飲料の安定剤として
安定剤としての条件を満たすのは高メトキシルペクチンのみであった
　
（刊１−５）「実施例１
　ブドウ糖２５ｇ，蔗糖９ｇ，オレンジ果汁９ｇ，クエン酸０．６ｇ，オレンジエツセンス０．３ｇおよび
高メトキシルペクチン０．７ｇを水に溶かして
酸性シロツプ凍結物と同重量の牛乳を加えてスプーンでかきまぜて半凍結飲料を作つた
　
２　刊行物２に記載された事項
　上記拒絶理由で引用された引用例６である「特開２００５−２７００２９号公報」（以下，「刊行物２）」という。）には，以下の事項が記載されている。
（刊２−１）「【特許請求の範囲】
【請求項１】
グルコマンナン０．１〜２重量％及びタマリンド種子多糖類０．０１〜５重量％を含む
【請求項２】
使用するグルコマンナンがこんにゃく粉，糖質及び澱粉を合わせて調製した乾燥こんにゃく加工品である，請求項１に記載の解凍時ゲル状となる冷菓。」
　
（刊２−２）「【０００８】
  本発明者らは，上記従来技術の問題点に鑑み，冷菓に含有させる
安定剤
グルコマンナン，特に好ましくは，こんにゃく粉，糖質及び澱粉を合わせて調製した乾燥こんにゃく加工品とタマリンド種子多糖類を含有し
新規な冷菓
　
（刊２−３）「【００１５】
  乾燥こんにゃく加工品の加工方法は，こんにゃく粉，糖質及び澱粉を合わせて複合物として乾燥加工品とすることができ，水中で膨潤できるようなものに加工できればどのような製法を採ってもよい。好ましい製造方法として，
コンニャク芋から常法にてグルコマンナンを抽出して乾燥し，澱粉と混合し，水を添加して膨潤し，少量のアルカリを添加することによる脱アセチル化処理を行った後，成型，加熱ゲル化，中和，糖質溶液浸漬，乾燥することで製造する
【００１６】
  また，乾燥こんにゃく加工品中のこんにゃく粉，糖質及び澱粉の組成も，特に制限されないが，乾燥こんにゃく加工品中，こんにゃく粉５〜３０重量％，水飴３０〜９０重量％，澱粉５〜３０重量％の範囲となるように，任意に調整することができる。
【００１７】
  なお，乾燥こんにゃく加工品は，粉末状，粒状，糸こんにゃくのような糸状といった任意の形態をとることができるが，好ましくは，粉末状態のものである。粉末の度合いとしては，５０メッシュ篩過のものがよく，好ましくは，８０メッシュ篩過，更に好ましくは，１２０メッシュ篩過である。このような製剤は，商業上入手することができ，例えば，アイレス株式会社製の乾燥こんにゃくや，三栄源エフ・エフ・アイ株式会社製の
サンスマート［商標］４００
【００１８】
  なお，グルコマンナンとして，かかる乾燥こんにゃく加工品を使用した場合の冷菓に対する添加量は，例えば，三栄源エフ・エフ・アイ株式会社製のサンスマート［商標］４００を使用した場合，１〜２０重量％，好ましくは３〜１０重量％，更に好ましくは４〜８重量％である。なお，当該乾燥こんにゃく加工品の添加量が１重量％を下回ると，解凍した時のゲル形成が弱くなり，２０重量％を超えると，冷凍前の冷菓原料のミックス状態での流動性が悪くなり，更には，解凍時のゲルも脆くなることがあるからである。」
　
（刊２−４）「【００２１】
  本発明では，冷菓ミックスに前述のグルコマンナン及びタマリンド種子多糖類を一定量配合するが，本発明の効果に悪影響を与えない限度において，他の冷菓用安定剤，例えば，グァーガム，カラギナン，キサンタンガム，ローカストビーンガム，トラガントガム，タラガム，カラヤガム，脱アシル型ジェランガム，ネイティブ型ジェランガム，アラビアガム，マクロホモプシスガム等のガム質，カラギナン，寒天，ゼラチン，
ペクチン
　
（刊２−５）「【００２５】
  本発明の冷菓は，目的とする製品により，種々の構成をとることができ，例えば，アイスクリーム類（アイスクリーム，ラクトアイス，アイスミルク）；ソフトクリーム；アイスケーキ，クラッカーサンドアイス，不凍アイスケーキ，コーン入りアイス，カップ入りアイス，アイスもなか；シャーベット；アイスキャンデー，みぞれ等のウォーターアイス（氷菓）；フローズンヨーグルト，
シェイク
　
３　刊行物３に記載された事項
　本願出願前から広く販売されていたサンスマート４００（商品名）の特性を示す「ＦＦＩジャーナル，Ｖｏｌ．２１０，Ｎｏ．７，発行所：ＦＦＩジャーナル編集委員会，２００５年７月１日，６７９〜６８６頁」（以下，「刊行物３）」という。）には，以下の事項が記載されている。
（刊３−１）「３−２．冷菓への応用
　サンスマートR４００をアイスクリーム類に使用した場合，保型性を向上させる効果がある（図３）。・・・（略）・・・先にも記載したが，保型性を向上させるとどうしても食感が重くなりがちであったが，サンスマートR４００を使用することで保型性の向上と軽い食感を両立することができる。
　また，サンスマートR４００は清涼感を向上して口溶けの良い食感を付与することができる。これは，ミックス中で膨潤したサンスマートR４００が，フリージング時に氷結晶の核となって働き，この氷結晶は他の氷結晶より大きくなって，結果として，
小さな氷結晶がたくさん存在する中にサンスマートRによる大きな氷結晶が点在した状態となる。この大きな氷結晶は，口の中に入れた際，ザラツキとして現れるのでなく，さっと解けることにより，冷たさとして感じられる。つまり，組織は滑らかであるが，冷たいという稀な食感を生み出すことができる
（当審注：「サンスマートR４００」は，三栄源エフ・エフ・アイ株式会社の商標名であり，また，「R」は，○の中にRを表す文字である。以下，同様である。）
　
第５　刊行物１に記載された発明
１　刊行物１の特許請求の範囲の記載事項
　上記刊行物１の特許請求の範囲には，
「１　高メトキシルペクチンが０．１〜２重量％の割合になるように添加配合された酸性シロツプの凍結物に蛋白性物質を加えてなる半凍結飲料。
２　酸性シロツプの高メトキシルペクチン以外の成分がブドウ糖またはブドウ糖およびその他の糖類または糖アルコールの一種以上と果汁，酸味料，香料よりなる組成物である特許請求の範囲第１項記載の半凍結飲料。」（摘示（刊１−１）との記載があるから，特許請求の範囲第２項には，次の事項が記載されている。
「高メトキシルペクチンが０．１〜２重量％の割合になるように添加配合された酸性シロツプであって，さらに該酸性シロツプは，ブドウ糖またはブドウ糖およびその他の糖類または糖アルコールの一種以上と果汁，酸味料，香料よりなる組成物を含み，該酸性シロツプの凍結物に蛋白性物質を加えてなる半凍結飲料。」
　
２　特許請求の範囲記載の「蛋白性物質」について
　刊行物１の特許請求の範囲の第３項には，「３　蛋白性物質が牛乳または豆乳である」と記載されており，また，摘示（刊１−３）に「本発明者らは家庭で手軽に半凍結飲料を作るに際し，
凍結物に牛乳または豆乳などの蛋白性物質（以下，「牛乳など」という）
　
３　小括
　以上の事項を「酸性シロツプ」に注目して整理すると，刊行物１には次の発明(以下，「引用発明１」という。）が記載されていると認められる。　
「酸性シロツプには高メトキシルペクチンが０．１〜２重量％の割合になるように添加配合され，さらに該酸性シロツプは，ブドウ糖またはブドウ糖およびその他の糖類または糖アルコールの一種以上と果汁，酸味料，香料よりなる組成物を含み，該酸性シロツプの凍結物に牛乳または豆乳などの蛋白性物質を加えることで半凍結飲料となる酸性シロツプ。」
　
第６　対比
　本願発明１と引用発明１を対比する
１　シェイク状の飲食品について
　引用発明１の「牛乳または豆乳などの蛋白性物質」は，水を含むことから，本願発明１の「水性媒体」に相当する。
　引用発明１の特定事項からみて，引用発明１の「酸性シロツプの凍結物」は，「牛乳または豆乳などの蛋白性物質」が加えられて，「半凍結飲料」となる。
　ここでいう，「半凍結飲料」とは，刊行物１の摘示（刊１−２）には，「
半凍結飲料は
シエイク
　さらに，刊行物１の摘示（刊１−５）の実施例１に，「ブドウ糖２５ｇ，蔗糖９ｇ，オレンジ果汁９ｇ，クエン酸０．６ｇ，オレンジエツセンス０．３ｇおよび
高メトキシルペクチン０．７ｇを水に溶かして
酸性シロツプ凍結物と同重量の牛乳を加えてスプーンでかきまぜて半凍結飲料を作つた
　そうすると，引用発明１の「酸性シロツプの凍結物に牛乳または豆乳などの蛋白性物質を加えることで半凍結飲料」となったものは，酸性シロツプ凍結物に牛乳を加えてスプーンでかき混ぜて調製する半凍結飲料であることが上記実施例から分かるし，シエイクという商品名で売られているものであるから，本願発明１の「凍結後に水性媒体と混ぜて崩し」た「シェイク状の飲食品」に相当することは明らかである。
　
２　シェイク状の飲食品を提供するための飲食品素材について
　引用発明１の「酸性シロツプ」は，上記「１」に記したように半凍結飲料，すなわち，シェイク状食品を製造するためのものであるから，半凍結飲料，すなわちシェイクの素材ということができる。
　そうすると，引用発明１の「酸性シロツプ」は，本願発明１の「シェイク状の飲食品を提供するための飲食品素材」に相当することは明白である。
　
３　糖類について
　引用発明１の「酸性シロツプ」に含まれる「ブドウ糖またはブドウ糖およびその他の糖類」は，本願発明１の「糖類」に相当する。
　
４　ＨＭペクチンについて
　引用発明１の「酸性シロツプ」に含まれる「高メトキシルペクチン」は，本願発明１の「ＨＭペクチン」に相当する。
　
５　水分について
　本願明細書の段落【０００９】には，「水分は，水，牛乳，果汁，各種エキス等に由来して飲食品素材に含む。」と記載されており，飲食品素材に含まれる水分は，果汁に由来しても良いことが理解される。
　そうすると，引用発明１の「酸性シロツプ」は，「果汁」を成分として含むものであるし，シロップであるから，水分が含まれること自明な事項であって，引用発明１の「酸性シロツプ」は，本願発明１の「水分」を「含む」点で一致する。
　
６　コンニャク粉について
　引用発明１には，「コンニャク芋から常法にてグルコマンナンを抽出して乾燥し，澱粉と混合し，水を添加して膨潤し，少量のアルカリを添加することによる脱アセチル化処理を行った後，成型，加熱ゲル化，中和，糖質溶液浸漬，乾燥することで製造したコンニャク粉」は含まれていない。
　
７　引用発明１の「酸性シロツプ」に「果汁，酸味料，香料」が含まれることについて
　本願発明１は，「コンニャク粉と，ＨＭペクチンとを
含む
　これを裏付けるように，本願発明１の実施例として本願明細書の段落【００１４】には，原料に「香料少量を使用した。」と記載されているし，段落【００１２】には，「他の原料としては，乳製品，
果汁
　したがって，引用発明の「果汁，酸味料，香料」が含まれる「酸性シロツプ」は，本願発明１の「飲食品素材」に包含されることは明白である。
　
８　小括
　したがって，両発明は，次の（一致点）及び（相違点）を有する。
（一致点）
「凍結後に水性媒体と混ぜて崩し，シェイク状の飲食品を提供するための飲食品素材であって，
　少なくとも，糖類と，水分と，ＨＭペクチンとを含むことを特徴とする飲食品素材。」　
　
（相違点）
　飲食品素材が，本願発明１では，さらに，「コンニャク芋から常法にてグルコマンナンを抽出して乾燥し，澱粉と混合し，水を添加して膨潤し，少量のアルカリを添加することによる脱アセチル化処理を行った後，成型，加熱ゲル化，中和，糖質溶液浸漬，乾燥することで製造したコンニャク粉」を含むのに対して，引用発明１でそれが含まれていない点。
　
第７　判断
１　相違点について
（１）本願発明１の「コンニャク粉」について
　本願発明１の「コンニャク粉」とは，本願明細書の段落【００１４】記載の実施例において「コンニャク粉（平均粒径４０〜６０μｍ，
三栄源エフ・エフ・アイ株式会社製，商品名「サンスマート４００」
　
（２）刊行物２記載の事項について
　他方，刊行物２の特許請求の範囲の請求項１には，「
グルコマンナン０．１〜２重量％及びタマリンド種子多糖類０．０１〜５重量％を含む
特に好ましくは，こんにゃく粉，糖質及び澱粉を合わせて調製した乾燥こんにゃく加工品とタマリンド種子多糖類を含有し
冷凍時では冷菓特有のなめらかな口溶けの良い食感を有し
新規な冷菓
　そして，この冷菓の態様には，「本発明の冷菓は，目的とする製品により，種々の構成をとることができ，例えば，アイスクリーム類・・・（略）・・・
シェイク
　また，こんにゃく粉の例として，
「乾燥こんにゃく加工品の加工方法は，・・・好ましい製造方法として，
コンニャク芋から常法にてグルコマンナンを抽出して乾燥し，澱粉と混合し，水を添加して膨潤し，少量のアルカリを添加することによる脱アセチル化処理を行った後，成型，加熱ゲル化，中和，糖質溶液浸漬，乾燥することで製造する
と記載されており，さらに，より具体的には，
「このような製剤は，商業上入手することができ，例えば，アイレス株式会社製の乾燥こんにゃくや，
三栄源エフ・エフ・アイ株式会社製のサンスマート［商標］４００
　
　そうすると，刊行物２には，「冷菓特有のなめらかな口溶けの良い食感を与えるべく，グルコマンナンとして，サンスマート４００（商品名），すなわち，コンニャク芋から常法にてグルコマンナンを抽出して乾燥し，澱粉と混合し，水を添加して膨潤し，少量のアルカリを添加することによる脱アセチル化処理を行った後，成型，加熱ゲル化，中和，糖質溶液浸漬，乾燥することで製造したものであるグルコマンナンを０．１〜２重量％及びタマリンド種子多糖類０．０１〜５重量％を含む解凍時ゲル状となる冷菓。」という技術的事項が記載されていると認められる。
　
（３）引用発明１に上記刊行物２記載の事項の適用することについて
　引用発明１の酸性シロツプにおいて，なめらかな口溶けの良い食感を付与すべく，シェイクにも適用可能なコンニャク粉である刊行物２記載のサンスマート４００（商品名）０．１〜２重量％及びタマリンド種子多糖類０．０１〜５重量％を添加することで，コンニャク粉とＨＭペクチン以外の他の成分を含むことを排除していない本願発明１のごとく構成することに何の困難性もない。
　
２　本願発明１の効果について
　本願発明１の効果は，本願明細書の記載によると次のとおりである。
「【０００６】
  本発明の飲食品素材は，少なくとも，糖類と水分と増粘剤として特定のコンニャク粉を含むことで，凍結後に水性媒体と混合した場合に，氷結晶が細かく均一になり，氷結晶が水性媒体中で溶けにくく，上記氷結晶が口どける爽やかな特有の食感を有するシェイク状の飲食品を提供することが可能となる。
  また，更に飲食品素材にＨＭペクチンを含むことで，凍結後に牛乳等の蛋白質を含む水性媒体と混合した場合に，蛋白質が凝集せず均一で滑らかであり，同時に前記の物性と食感を有するシェイク状の飲食品を提供することが可能となる。
  また，糖類，水分，コンニャク粉及びＨＭペクチンを各々特定量含むことで，前記の食感及び滑らかさをより安定して達成することが可能となる。」
　
（１）　氷結晶が細かく均一になり，氷結晶が水性媒体中で溶けにくく，上記氷結晶が口どける爽やかな特有の食感を有するシェイク状の飲食品となる効果について
　本願明細書の段落【００１０】には「コンニャク粉は，飲食品素材中に固形分として１〜８％，好ましくは１.５〜６％含むのがよい。含量が上記範囲を下回る場合には，氷結晶が大きく不均一になり，氷結晶が直ぐに溶ける傾向となりやすく，上回る場合には，凍結した素材が固まりすぎて喫食時に崩しにくくなりやすい。上記範囲により，喫食時に崩しやすく，細かく均一な溶けにくい氷結晶を形成し，特有のシェイク状の食感を供することができる。」と記載されている。
　本願発明１の特定事項に，コンニャク粉の添加量は特定されておらず，「氷結晶が細かく均一になり，氷結晶が水性媒体中で溶けに」くいという効果は，特定の範囲でコンニャク粉を入れた特定の実施例における効果といえ，本願発明１の特定事項から直接導かれる効果とはいえない。
　
（２）　蛋白質が凝集せず均一で滑らである効果について
　ＨＭペクチンを用いた刊行物１には，「酸性シロツプの凍結物に牛乳などを加えても凝集物が目立たずしかも凝集物の分離を非常に遅らせることに成功し」（摘記（刊１−３））たとの記載があり，当該効果は，刊行物１から予測し得る効果である。
　
３　コンニャク粉を入れる量が本願発明の特定事項に含まれていた場合についての検討
　本願明細書の段落【００１０】には「コンニャク粉は，飲食品素材中に固形分として１〜８％，好ましくは１.５〜６％含むのがよい。含量が上記範囲を下回る場合には，氷結晶が大きく不均一になり，氷結晶が直ぐに溶ける傾向となりやすく，上回る場合には，凍結した素材が固まりすぎて喫食時に崩しにくくなりやすい。上記範囲により，喫食時に崩しやすく，細かく均一な溶けにくい氷結晶を形成し，特有のシェイク状の食感を供することができる。」と記載されている。
　仮に，上記範囲でコンニャク粉を入れることが本願発明１の特定事項となっていた場合についても，念のため検討する。
　
　上記「第７　１」に記したように，引用発明１において，刊行物２記載のサンスマート４００（商品名）というコンニャク粉を使用することは，当業者が容易になし得たことといえ，その際，サンスマート４００（商品名）をどの程度添加するかは，当業者であれば，当然検討する事項である。
　
　引用発明１は，上記「第６　１」に記したように，引用発明１の「半凍結飲料」は，酸性シロツプ凍結物に，蛋白性物質である牛乳が加えられ，スプーンでかきまぜて半凍結飲料となるものである。引用発明１において，凍結した素材が固まりすぎれば崩しにくくなるから当業者が注目する特性であるといえるし，溶け方は半凍結飲料にとって重要な特性であり，これも当業者が注目する特性といえ，さらに，半凍結飲料，すなわち，シェイクという氷結晶を楽しむ飲料において，食感に影響する結晶の状態も当業者が注目する特性であるといえる。
　
　他方，刊行物２記載の「サンスマート４００（商品名）」（摘示（刊２−３））は，本願出願前から販売され周知のものとなっており，その特性についても広く知られていたものである。例えば，刊行物３には，「アイスクリーム類に使用した場合，保型性を向上させる効果がある（図３）。・・・（略）・・・サンスマートR４００は清涼感を向上して口溶けの良い食感を付与することができる。・・・（略）・・・
小さな氷結晶がたくさん存在する中にサンスマートRによる大きな氷結晶が点在した状態となる。この大きな氷結晶は，口の中に入れた際，ザラツキとして現れるのでなく，さっと解けることにより，冷たさとして感じられる。つまり，組織は滑らかであるが，冷たいという稀な食感を生み出すことができる。
　上記特性からみて，サンスマート４００（商品名）が，氷結晶の形成に何らかの作用を与えていることは明白であるし，引用発明１において，凍結した素材が固まりすぎや溶け方は半凍結飲料にとって上記したように重要な特性であり，さらに，半凍結飲料，すなわち，シェイクという氷結晶を楽しむ飲料において，結晶の状態も当業者が注目する特性であるから，サンスマート４００（商品名）の添加量を検討するに際し，添加量を変えることでこれらの特性に変化が起きれば当業者が直ちに気付くものであって，本願明細書の段落【００１０】記載のごとくの範囲とすることは当業者が適宜案出し得る程度の事項ということができる。
　そして，上記「第７　１（３）」に記載したように，引用発明１において刊行物２記載のサンスマート４００（商品名）を添加すべく構成する際に，当業者が，その添加量を検討する過程で当然気付くべき変化を上記本願発明１の効果とした程度のものにすぎない。
　
第８　むすび
　以上のとおり，本願発明１は，刊行物１及び２に記載された発明，並びに，周知の技術的事項に基づき当業者が容易に発明をすることができたものであるから，特許法第２９条第２項の規定により特許を受けることができない。
　したがって，本出願に係る他の請求項について検討するまでもなく，本出願は拒絶すべきものである。
　よって，結論のとおり審決する。